(57)【要約】【課題】弾力の功能以外の人体の健康に有益な功能を持たせる多功能をもつクッションを提供する。【解決手段】主クッション１０に複数の貫通孔或いは貫通しない凹み１１を形成し、これらの貫通孔又は凹み１１にはめ付けて固定される複数の小クッション２０を作り、各小クッション２０には複数のエネルギーを持つチップを付設しておく。それでこれらのチップは遠赤外線を放射でき、それが接触する人体の部分、例えば足の土踏まず部、腕、膝等を照射して、その機能を改善し疲労を回復させる様にする。【選択図】図１
0003129666.tif 000002
【実用新案登録請求の範囲】
【請求項１】
所定の形状を持ち、複数の連結部を持つ主クッションと、
前記連結部の中にはめ付けて固定され、弾性体と、前記弾性体の表面に設置される遠赤外線を放射する複数のチップと、前記弾性体の周辺壁に密接に貼り付けられる薄膜体とで構成される複数の小クッションと、
を備えチップ付きクッション。
【請求項２】
前記主クッションの表面に多孔性の吸湿布が貼り付けられ、裏面には縦方向の多数の気孔を持つ気孔部が形成されることを特徴とする請求項１に記載のチップ付きクッション。
【請求項３】
前記主クッションの前記連結部は凹みにして、前記小クッションが前記凹みの中にはめ付けられて、前記凹みの底面と前記小クッションの底面とは接着剤を塗粧して相互に密接して接着されることを特徴とする請求項１に記載のチップ付きクッション。
【請求項４】
前記連結部は上下に貫通した孔にして、前記小クッションが前記孔の中にはめ付けて固定され、前記小クッションの前記薄膜体の周縁には唇状縁が形成され、前記唇状縁は熱圧装置で前記主クッションの前記孔の底周縁に融着されることを特徴とする請求項１に記載のチップ付きクッション。
【請求項５】
前記小クッションはＰＵ、シリカジェル、又は模造ゴムで作られることを特徴とする請求項１に記載のチップ付きクッション。
【請求項６】
前記小クッションは透明であることを特徴とする請求項１に記載のチップ付きクッション。
【請求項７】
前記小クッションの前記薄膜体はＴＰＵ材で作られることを特徴とする請求項１に記載のチップ付きクッション。
【請求項８】
前記チップはエネルギーチップにして、メタル片と前記メタル片の表面に塗粧されるエネルギー塗粧層とで構成され、前記エネルギー塗粧層は銅と炭素とシリコンとマンガンと硫黄とニッケルとゲルマニウムとクロームとモリブデンとチタンとバナジウムとを、ある比例で混合した材料で作られることを特徴とする請求項１に記載のチップ付きクッション。
【請求項９】
前記主クッションは靴パッド、保護クッション、腕用クッション、膝クッション、枕クッション、椅子クッション、或いはベッドクッションの形状に作られることを特徴とする請求項１に記載のチップ付きクッション。
【考案の詳細な説明】
【技術分野】
【０００１】
本考案は靴のパッドや坐席クッション等に応用できる多功能のチップ付きクッションに関する。
【背景技術】
【０００２】
クッションは一般に靴のパッドや坐席などに広く使用されて、靴底のパッドとしては色々の靴に使用され、はいている時に使用者の足に快適感を与える。その型式はマッサージ式、多孔性式、弾性式、震動吸収式等色々さまざまある。坐席に使用されるものは長く椅子に坐っている時に、臀部の疲労を軽減させて、やはりマッサージ式、多孔式等色々ある。
【考案の開示】
【考案が解決しようとする課題】
【０００３】
伝統のクッションは一体に成形され、靴のパッドや坐席に使用してもその本体に変化性が少なく、マッサージ式にしたものは、その材質が比較的硬く突出粒だけを硬くし、ほかの部分を軟かくすることができず、効果がそれ程良くない。その他の方式のものも、皆単一の功能しかなく、理想的でない。それで本考案は坐席用や靴用などのクッションの弾力の功能以外の人体の健康に有益な功能を持たせる多功能をもつクッションを提供することを課題とする。
【課題を解決するための手段】
【０００４】
それで本考案は先ず主クッションを靴パッドや坐席クッション等の形状に作り、次にこの主クッションに複数の貫通孔或いは貫通しない凹みを形成し、これらの貫通孔又は凹みにはめ付けて固定される複数の小クッションを作り、各小クッションには複数のエネルギーを持つチップを付設しておく。それでこれらのチップは遠赤外線を放射でき、それが接触する人体の部分、例えば足の土踏まず部、腕、膝等を照射して、その機能を改善し疲労を回復させる様にする。
【考案を実施するための最良の形態】
【０００５】
本考案の第１実施例による多功能のチップ付きクッションは、図１から図４が示す様に、主クッション１０と複数の小クッションとで構成する。
主クッション１０はその表面の足の土踏まず部と踵とに相対する個所に複数のある形状の連結部１１を設け、この連結部１１は上下に貫通する孔である。主クッション１０は一枚の気泡弾性体１２と、この気泡弾性体１２の表面に貼り付けた吸湿布１３とで構成されている。吸湿布１３は多孔性布材で作り、更に主クッションの裏面には気孔部１４を形成し、この気孔部１４は多数の縦方向の貫通気孔１４１を持っている。
【０００６】
次に小クッション２０は透明にして、連結部１１と同じ形状と寸法を持ち、弾性体２２と、この弾性体２２の周辺にはり付けられる薄膜体２１と、弾性体２２の表面に付設される複数のチップ２３とで構成される。薄膜体２１はＴＰＵで作り、熱圧式で弾性体２２の周辺にはり付け、更にその周縁に唇状縁２１１を形成させる。弾性体２２はＰＵ、シリカゲル、或いは模造ゴムを原料として作る。チップ２３はエネルギーチップにして、遠赤外線を放射し、円形のメタル片２３１の表面にエネルギー塗粧層２３２を塗っている。エネルギー塗粧層２３２の原料は、銅とカーボンとシリコンとマンガンと硫黄とニッケルとゲルマニウムとクロームとモリブデンとチタンとバナジウムとを或る比例で混合したものである。
【０００７】
次に図１から図４が示す様に、主クッション１０の連結部１１の貫通孔に小クッション２０をはめこむ時は、その下に熱圧装置３０を置いて、その発生する熱で小クッション２０を連結部１１の貫通孔の中におし入れて熱圧装置３０を取り去って冷却させると、両者は相互に融合して一体になる。更に小クッション２０の上表面は主クッション１０の上表面と同じ高さにする。それで本実施例のチップ付きクッションを靴の中に入れて使用する時は、小クッション２０の弾性体２２の弾力が良好なので、人体に対して震動吸収と緩衝の作用を発揮し、且つチップ２３は人体に有益な遠赤外線のエネルギーを放射し、足の土踏まず部と完全に接触して、エネルギーを受け機能が改善され疲労が回復する。その上チップ２３は同時に除臭と殺菌の効果もあって、身体の健康を保護する。
【０００８】
次に図５及び図６は、本考案の第２実施例による多功能のチップ付きクッションを示し、その主要構造は第１実施例と同じであるが、主クッション１０の連結部１１は貫通孔でなく凹みにして、凹みの底面は接着剤１５を塗粧し、小クッション２０の薄膜体２１の唇状縁２１１を凹みの形状寸法に合わせて切り取り、小クッション２０を凹みの中にはめ付けて固定させる。又小クッション２０の上表面は主クッション１０の上表面よりも少し高く突出させて、足の土踏まず部と充分に接触できる様にする。
【０００９】
又図７は本考案の第３実施例を示し、主クッション４０は坐席クッションにして、第１実施例及び第２実施例の様に複数の連結部４１を持ち、この連結部１１は貫通孔にして、この連結部４１と同形同寸法の複数の小クッション５０が連結部４１の中にはめ付けて固定されている。それで人がこのチップ付きクッションの上に坐った時は、臀部の感覚が柔らかく坐り心地がよい。更に主クッション４０は腕クッション、膝クッション、枕クッション、ベッドクッション等に応用でき、人体に対し震動吸収と緩衝の功能を持つ外、チップは人体に有益なエネルギーを放射し、保健の作用もある。
【００１０】
（本考案の効果）
本考案の多功能のチップ付きクッションは次の効果がある。
（１）小クッションは弾力が良好で人体に対し震動吸収と緩衝の功能があり、特にその表面は主クッションの上表面より少し高く突出しているので、足の土踏まず部と密接に接触するからマッサージの効果がある。
（２）小クッションに複数のチップを持っているので、このチップが人体に有益なエネルギーを放射するので機能が改善され疲労を回復させる外、除臭と殺菌の効果もある。
（３）主クッションと小クッションとも弾力係数が高く、伸縮性が極めて良好なので、足に力を入れて歩く時補助的な弾力を与え、使用者は柔らかい感覚を受ける。
（４）主クッションの連結部は異なる場所に複数あるから、小クッションは使用者の色々な需要に対応でき、その功能を自動的に調整し、又主クッションと小クッションとの組合せは色々に変化させることができ、このチップ付きクッションは人体に対し一種以上の功能を果たすことができる。
【図面の簡単な説明】
【００１１】
【図１】本考案の第１実施例による多功能のチップ付きクッションを示す斜視図である。
【図２】本考案の第１実施例による多功能のチップ付きクッションの小クッションを主クッションにはめ付けた状況を示す斜視図である。
【図３】本考案の第１実施例による多功能のチップ付きクッションの小クッションを主クッションにはめ付ける過程を示す断面図である。
【図４】本考案の第１実施例による多功能のチップ付きクッションの背面図である。
【図５】本考案の第２実施例による多功能のチップ付きクッションの斜視図である。
【図６】本考案の第２実施例による多功能のチップ付きクッションの小クッションを主クッションにはめ付ける過程を示す断面図である。
【図７】本考案の第３実施例による多功能のチップ付きクッションの斜視図である。
【符号の説明】
【００１２】
１０：主クッション、１１：連結部、１２：気泡弾性体、１３：吸湿布、１４：気孔部、１４１：気孔、２０：小クッション、２１：薄膜体、２１１：唇状縁、２２：弾性体、２３：チップ、２３１：メタル片、２３２：エネルギー塗粧層、３０：熱圧装置、４０：主クッション、５０：小クッション
【図１】
0003129666.tif 000003
【図２】
0003129666.tif 000004
【図３】
0003129666.tif 000005
【図４】
0003129666.tif 000006
【図５】
0003129666.tif 000007
【図６】
0003129666.tif 000008
【図７】
0003129666.tif 000009